(57)【要約】【課題】予め設定されるプログラムに従った画像処理のジョブの説明情報と前記ジョブとは異なる処理の説明情報との両方を出力できること。【解決手段】ジョブプログラムＤ１は、ジョブのプログラムを表す。拡張説明情報設定部５ｅは、操作装置３ａに対する操作に従って、前記ジョブとは異なる事項の説明を表す拡張説明情報Ｄ３３を、前記ジョブプログラムＤ１に対応付けて設定する。説明出力制御部５ｆは、前記ジョブプログラムＤ１が指定される場合に、それぞれ前記ジョブの説明を表す予め定められた複数のジョブ説明情報Ｄ２３から、指定される前記ジョブプログラムＤ１に対応する１つ以上の前記ジョブ説明情報Ｄ２３を選択し、選択した前記ジョブ説明情報Ｄ２３と指定される前記ジョブプログラムＤ１に対応する前記拡張説明情報Ｄ３３とを情報出力装置に出力させる。【選択図】図１
2020120361.tif 000002
【特許請求の範囲】
【請求項１】
人の操作を受け付ける操作装置と、
画像処理に関するジョブを実行するジョブ処理装置と、
前記操作装置に対する操作に従って、前記ジョブのプログラムを表すジョブプログラムを設定するプログラム設定部と、
前記操作装置に対する操作に従って、前記ジョブとは異なる事項の説明を表す拡張説明情報を、前記ジョブプログラムに対応付けて設定する拡張説明情報設定部と、
前記ジョブプログラムに従った前記ジョブを前記ジョブ処理装置に実行させるジョブ制御部と、
前記操作装置に対する操作によって前記ジョブプログラムが指定される場合に、それぞれ前記ジョブの説明を表す予め定められた複数のジョブ説明情報から、指定される前記ジョブプログラムに対応する１つ以上の前記ジョブ説明情報を選択し、選択した前記ジョブ説明情報と指定される前記ジョブプログラムに対応する前記拡張説明情報とを情報出力装置に出力させる説明出力制御部と、を備える画像処理装置。
【請求項２】
前記拡張説明情報設定部は、前記操作装置に対する操作に従って、対応する前記ジョブプログラムに従った前記ジョブが実行されるときの前記拡張説明情報の出力タイミングを特定するタイミング情報をさらに設定し、
前記説明出力制御部は、指定される前記ジョブプログラムに従った前記ジョブが実行されるときに、前記タイミング情報に従ったタイミングで前記拡張説明情報を自動的に前記情報出力装置に出力させる、請求項１に記載の画像処理装置。
【請求項３】
前記説明出力制御部は、指定される前記ジョブプログラムに従った前記ジョブが実行されるときに、前記ジョブの進行に応じて対応する前記ジョブ説明情報を自動的に前記情報出力装置に出力させる、請求項２に記載の画像処理装置。
【発明の詳細な説明】
【技術分野】
【０００１】
本発明は、説明機能を備える画像処理装置に関する。
【背景技術】
【０００２】
一般に、プリンター、複写機または複合機などの画像処理装置は、説明情報を表示装置に表示させる機能を備える。
【０００３】
また、前記画像処理装置が、画像処理に関するジョブのプログラムが設定された場合に、前記プログラムに従って前記ジョブを実行するプログラム機能を備えることが知られている（例えば、特許文献１参照）。
【０００４】
前記プログラム機能により、前記ジョブのパラメーターを都度設定する手間が省略され、また、前記ジョブのパラメーターの設定漏れおよび設定ミスが回避される。
【先行技術文献】
【特許文献】
【０００５】
【特許文献１】特開２００６−５９１０号公報
【発明の概要】
【発明が解決しようとする課題】
【０００６】
ところで、定型の事務処理が、前記画像処理装置の前記プログラム機能によって前記ジョブとして実行される処理と、前記ジョブとは異なる処理とを含む場合がある。
【０００７】
例えば、前記ジョブとは異なる処理は、前記画像処理装置の利用の準備として、特定の用紙を前記画像処理装置にセットする処理、または、ＰＣ（Personal Computer）などの他装置を用いて実行される処理などである。
【０００８】
前記事務処理が主に前記画像処理装置を用いて行われる場合、前記事務処理の説明情報が、前記画像処理装置によって出力されると便利である。しかしながら、従来の画像処理装置は、自装置が実行可能な前記ジョブとは関係のない処理の説明情報を出力する機能を備えていない。
【０００９】
本発明の目的は、予め設定されるプログラムに従った画像処理のジョブの説明情報と前記ジョブとは異なる処理の説明情報との両方を出力できる画像処理装置を提供することにある。
【課題を解決するための手段】
【００１０】
本発明の一の局面に係る画像処理装置は、操作装置と、ジョブ処理装置と、プログラム設定部と、拡張説明情報設定部と、ジョブ制御部と、説明出力制御部と、を備える。前記操作装置は、人の操作を受け付ける。前記ジョブ処理装置は、画像処理に関するジョブを実行する。前記プログラム設定部は、前記操作装置に対する操作に従って、前記ジョブのプログラムを表すジョブプログラムを設定する。前記拡張説明情報設定部は、前記操作装置に対する操作に従って、前記ジョブとは異なる事項の説明を表す拡張説明情報を、前記ジョブプログラムに対応付けて設定する。前記ジョブ制御部は、前記ジョブプログラムに従った前記ジョブを前記ジョブ処理装置に実行させる。前記説明出力制御部は、前記操作装置に対する操作によって前記ジョブプログラムが指定される場合に、それぞれ前記ジョブの説明を表す予め定められた複数のジョブ説明情報から、指定される前記ジョブプログラムに対応する１つ以上の前記ジョブ説明情報を選択し、選択した前記ジョブ説明情報と指定される前記ジョブプログラムに対応する前記拡張説明情報とを情報出力装置に出力させる。
【発明の効果】
【００１１】
本発明によれば、予め設定されるプログラムに従った画像処理のジョブの説明情報と前記ジョブとは異なる処理の説明情報との両方を出力できる画像処理装置を提供することが可能になる。
【図面の簡単な説明】
【００１２】
【図１】図１は、本発明の実施形態に係る画像処理装置の構成を表すブロック図である。
【図２】図２は、本発明の実施形態に係る画像処理装置に予め登録されるジョブ説明データの構成の一例を示す図である。
【図３】図３は、本発明の実施形態に係る画像処理装置により設定されるジョブプログラムのデータ構成の一例を示す図である。
【図４】図４は、本発明の実施形態に係る画像処理装置により設定される拡張説明データの構成の一例を示す図である。
【図５】図５は、本発明の実施形態に係る画像処理装置における説明出力処理の手順の一例を示すフローチャートである。
【図６】図６は、本発明の実施形態に係る画像処理装置における説明画面の第１例を示す図である。
【図７】図７は、本発明の実施形態に係る画像処理装置における説明画面の第２例を示す図である。
【図８】図８は、本発明の実施形態に係る画像処理装置における説明画面の第３例を示す図である。
【発明を実施するための形態】
【００１３】
以下、図面を参照しながら、本発明の実施形態について説明する。なお、以下の実施形態は、本発明を具体化した一例であって、本発明の技術的範囲を限定するものではない。
【００１４】
［画像処理装置１０の構成］
本発明の実施形態に係る画像処理装置１０は、画像処理に関するジョブを実行する。例えば、画像処理装置１０は、複写機、ファクシミリ装置または複合機などである。
【００１５】
図１に示される例では、画像処理装置１０は、プリント装置１および画像読取装置２を備える。プリント装置１は、シート９１に画像を形成するプリントジョブを実行する。画像読取装置２は、原稿９２から画像を読み取る画像読取ジョブを実行する。
【００１６】
以下の説明において、画像読取装置２の前記画像読取処理によって原稿９２から読み取られた画像のことを読取画像と称する。
【００１７】
画像処理装置１０は、インターネットまたはＷＡＮ（Wide Area Network）などのネットワーク８０を通じて、複数のホスト装置８と通信可能である。ホスト装置８は、画像処理装置１０と通信可能なコンピューターである。
【００１８】
図１に示されるように、画像処理装置１０は、プリント装置１，画像読取装置２、ユーザーインターフェイス装置３、通信装置４および制御装置５などを備える。
【００１９】
また、制御装置５は、プリントエンジン５０、ＣＰＵ５１、ＲＡＭ（Random Access Memory）５２および二次記憶装置５３などを含む。
【００２０】
ユーザーインターフェイス装置３は、操作装置３ａ、表示装置３ｂおよび音響装置３ｃなどを含む。操作装置３ａは、人の操作を受け付ける装置であり、例えば操作ボタンおよびタッチパネルなどを含む。表示装置３ｂは、情報を表示可能な液晶パネルなどの表示パネルを含む。なお、前記人の操作は、人の手による操作の他、人の声による操作または人の目線による操作なども含む。
【００２１】
音響装置３ｃは、音声または音楽などの音響を出力する装置である。音響装置３ｃは、不図示のアンプおよびスピーカーを備える。
【００２２】
通信装置４は、ネットワーク８０を通じてホスト装置８との間で通信を行う通信インターフェイスデバイスである。制御装置５は、ホスト装置８との間のデータの送信および受信の全てを、通信装置４を通じて行う。
【００２３】
プリント装置１は、電子写真方式またはインクジェット方式などの予め定められた方式で前記プリントジョブを実行する。
【００２４】
本実施形態において、プリント装置１は、前記読取画像のデータ、通信装置４を通じてホスト装置８から受信される受信画像データ、または二次記憶装置５３に記憶された保存画像データに基づいて前記プリントジョブを実行可能である。
【００２５】
例えば、プリント装置１が電子写真方式で前記プリントジョブを実行する装置である場合、プリント装置１は、シート搬送機構１ａ、感光体１ｂ、帯電装置１ｃ、レーザースキャニングユニット１ｄ、現像装置１ｅ、転写装置１ｆおよび定着装置１ｇなどを備える。
【００２６】
シート搬送機構１ａは、予め定められた経路に沿ってシート９１を搬送する。帯電装置１ｃは、感光体１ｂの表面を帯電させる。レーザースキャニングユニット１ｄは、帯電した感光体１ｂの表面に静電潜像を書き込む。
【００２７】
現像装置１ｅは、感光体１ｂ上の前記静電潜像をトナー像へ現像する。転写装置１ｆは、感光体１ｂ上の前記トナー像をシート９１に転写する。定着装置１ｇは、シート９１上の前記トナー像を加熱することにより、前記トナー像をシート９１に定着させる。
【００２８】
画像読取装置２は、光源２ａ、ＡＤＦ（Automatic Document Feeder）２ｂ、イメージセンサー２ｃおよびＡＦＥ（Analog Front End）２ｄなどを備える。
【００２９】
光源２ａは、原稿９２に対して光を出射する。ＡＤＦ（２ｂ）は、光源２ａに対向する位置を通る原稿搬送路に沿って原稿９２を搬送する。これにより、光源２ａの光が原稿９２に対して走査される。
【００３０】
イメージセンサー２ｃは、原稿９２からの反射光を受光し、受光量の検出信号を画像信号として出力する。ＡＦＥ（２ｄ）は、前記画像信号をデジタルの画像データへ変換する。
【００３１】
制御装置５は、各種の演算、データ処理および画像処理装置１０が備える各種の電気機器の制御を実行する。制御装置５は、プリント装置１、画像読取装置２、ユーザーインターフェイス装置３および通信装置４との間でデータおよび制御信号の受け渡しが可能である。
【００３２】
プリントエンジン５０は、ＣＰＵ５１からの指令に従ってプリント装置１を制御することにより、プリント装置１に前記プリントジョブを実行させる。
【００３３】
プリントエンジン５０は、不図示のＭＰＵ（Micro Processing Unit）もしくはＤＳＰ（Digital Signal Processor）などのプロセッサー、またはＡＳＩＣ（Application Specific Integrated Circuit）などの回路によって実現される。
【００３４】
二次記憶装置５３は、コンピューター読み取り可能な不揮発性の記憶装置である。二次記憶装置５３は、コンピュータープログラムおよび各種のデータを記憶可能である。例えば、ハードディスクドライブおよびＳＳＤ（Solid State Drive）の一方または両方の組合せが、二次記憶装置５３として採用される。
【００３５】
二次記憶装置５３は、複数の登録認証データＤ０を予め記憶している。登録認証データＤ０は、複数の登録ユーザーの認証に関するデータである。例えば、登録認証データＤ０は、ユーザーＩＤおよびパスワードなどを含む。
【００３６】
ＣＰＵ５１は、二次記憶装置５３に記憶されたコンピュータープログラムを実行することにより、各種のデータ処理および制御を実行するプロセッサーである。なお、ＤＳＰなどの他のプロセッサーが、ＣＰＵ５１の代わりに前記データ処理および制御を実行することも考えられる。
【００３７】
ＲＡＭ５２は、コンピューター読み取り可能な揮発性の記憶装置である。ＲＡＭ５２は、ＣＰＵ５１が実行する前記コンピュータープログラムおよびＣＰＵ５１が前記コンピュータープログラムを実行する過程で出力および参照するデータを一次記憶する。
【００３８】
ＣＰＵ５１は、前記コンピュータープログラムを実行することにより、主制御部５ａ、ジョブ制御部５ｂおよびユーザー認証部５ｃなどとして動作する。
【００３９】
主制御部５ａは、主として操作装置３ａに対する操作および通信装置４によるデータ受信を監視し、操作またはデータ受信を検出したときに、検出内容に応じた処理の開始を制御する。
【００４０】
ジョブ制御部５ｂは、ホスト装置８から受信するジョブ要求、または、操作装置３ａに対するジョブ指定操作によって指定される前記ジョブを、プリント装置１および画像読取装置２の一方または両方に実行させる。
【００４１】
本実施形態において、前記プリントジョブの対象データは、前記読取画像のデータ、前記ジョブ要求において指定されるデータ、または操作装置３ａに対する操作によって指定されるデータである。
【００４２】
前記ジョブ要求において指定されるデータは、ホスト装置８から通信装置４を通じて受信される受信画像データ、または、予め二次記憶装置５３または通信装置４により通信可能な外部装置の記憶装置に記憶された保存画像データである。また、操作装置３ａに対する操作によって指定されるデータは、前記保存画像データである。
【００４３】
なお、指定される前記ジョブが前記プリントジョブである場合、ジョブ制御部５ｂは、プリントエンジン５０を通じてプリント装置１に前記プリントジョブを実行させる。
【００４４】
ユーザー認証部５ｃは、ユーザー認証処理を実行する。前記ユーザー認証処理は、操作装置３ａに対する操作により入力される入力認証データが、予め二次記憶装置５３に記憶されている複数の登録認証データＤ０のいずれかに該当するか否かを判定する処理である。
【００４５】
以下の説明において、入力認証データが、複数の登録認証データＤ０のいずれかに該当することを、認証成功と称する。ユーザー認証部５ｃは、前記ユーザー認証処理の結果が前記認証成功である場合にのみ、操作装置３ａに対する操作に応じた各種の前記ジョブの実行を許容する。
【００４６】
ＣＰＵ５１は、前記コンピュータープログラムを実行することにより、プログラム設定部５ｄとしても動作する。プログラム設定部５ｄは、操作装置３ａに対する操作に従って、前記ジョブのプログラムを表すジョブプログラムＤ１を設定する。
【００４７】
図２に示されるように、プログラム設定部５ｄは、プログラム番号Ｄ１１、ジョブプログラム名Ｄ１２、ジョブ種類データＤ１３およびジョブパラメーターＤ１４などを含むジョブプログラムＤ１を設定する。
【００４８】
プログラム番号Ｄ１１は、ジョブプログラムＤ１の識別情報の一例である。ジョブプログラム名Ｄ１２は、ジョブプログラムＤ１の名称を表す情報である。ジョブプログラム名Ｄ１２は、実行対象のジョブプログラムＤ１が操作装置３ａに対するプログラム選択操作に従って選択されるときに、選択肢として表示装置３ｂに表示される。
【００４９】
ジョブ種類データＤ１３は、実行対象の前記ジョブの種類を表す情報である。本実施形態では、ジョブ種類データＤ１３は、前記プリントジョブまたは前記画像読取ジョブを表す。ジョブパラメーターＤ１４は、前記ジョブの条件に関するパラメーターの情報である。
【００５０】
例えば、ジョブ種類データＤ１３が前記画像読取ジョブに設定される場合、読取面、読取色、出力解像度、白紙除去および出力方法などのパラメーターが、ジョブパラメーターＤ１４として設定される。
【００５１】
前記読取面は、原稿９２における画像の読み取り対象の面を指定するパラメーターであり、片面および両面のいずれかを指定する。前記読取色は、原稿９２の画像をカラー画像として読み取るか、モノクロ画像として読み取るかを指定するパラメーターである。
【００５２】
前記出力解像度は、前記読取画像の出力データの解像度を指定するパラメーターである。前記白紙除去は、前記読取画像における無画像のページの画像を除去するか残すかを指定するパラメーターである。
【００５３】
前記出力方法は、前記読取画像の出力方法として採用する前記ジョブの種類を指定するパラメーターである。本実施形態において、前記出力方法は、プリントジョブ、ファイル送信ジョブおよびファイル保存ジョブのうちの１つまたは複数を指定する。
【００５４】
前記プリントジョブが前記出力方法として設定される場合、前記読取画像が、前記プリントジョブによってシート９１に出力される。
【００５５】
前記ファイル送信ジョブは、前記読取画像のデータファイルを指定される送信先へ送信する処理である。即ち、前記ファイル送信ジョブは、前記読取画像をホスト装置８などの外部装置へ出力する処理である。
【００５６】
前記ファイル保存ジョブは、前記読取画像のデータファイルを二次記憶装置５３に保存する処理である。即ち、前記ファイル保存ジョブは、前記読取画像を二次記憶装置５３へ出力する処理である。
【００５７】
前記出力方法が前記プリントジョブに設定される場合、プログラム設定部５ｄは、前記プリントジョブに関するパラメーターを前記出力方法のサブパラメーターとして設定する。この場合、前記サブパラメーターは、給紙部、出力色、出力面、倍率および集約タイプなどである。
【００５８】
前記給紙部は、シート９１の供給元のシートカセットを指定するパラメーターである。前記出力色は、前記読取画像をカラープリントおよびモノクロプリントのいずれで出力するかを指定するパラメーターである。
【００５９】
前記出力面は、前記読取画像をシート９１の片面のみに形成するか、シート９１の両面に形成するかを指定するパラメーターである。前記倍率は、前記読取画像をシート９１に形成する際の縮小率または拡大率を指定するパラメーターである。
【００６０】
前記集約タイプは、１枚のシート９１に集約する前記読取画像のページ数を指定するパラメーターである。
【００６１】
前記出力方法が前記ファイル送信ジョブに設定される場合、前記出力方法は、送信先およびファイル形式などを前記サブパラメーターとして含む。前記出力方法が前記ファイル保存ジョブに設定される場合、前記出力方法は、保存フォルダおよびファイル形式などを前記サブパラメーターとして含む。
【００６２】
また、ジョブ種類データＤ１３が前記プリントジョブに設定される場合、前記対象データ、前記給紙部、前記出力色、前記出力面、前記倍率および前記集約タイプなどのパラメーターが、ジョブパラメーターＤ１４として設定される。この場合、前記対象データは、前記保存画像データである。
【００６３】
主制御部５ａは、操作装置３ａに対する前記プログラム選択操作に従って実行対象のジョブプログラムＤ１を選択する。ジョブプログラムＤ１が選択された上で、操作装置３ａに対するジョブ開始操作が行われた場合、ジョブ制御部５ｂは、選択されたジョブプログラムＤ１に従った前記ジョブを、プリント装置１、画像読取装置２、通信装置４および二次記憶装置５３のうちの１つまたは複数に実行させる。
【００６４】
なお、プリント装置１、画像読取装置２、通信装置４および二次記憶装置５３は、画像処理に関する前記ジョブを実行するジョブ処理装置の一例である。以下の説明において、ジョブプログラムＤ１を設定し、設定されたジョブプログラムＤ１に従って前記ジョブを実行する画像処理装置１０の機能のことをプログラム機能と称する。
【００６５】
ところで、定型の事務処理が、画像処理装置１０の前記プログラム機能によって前記ジョブとして実行される処理と、前記ジョブとは異なる処理とを含む場合がある。
【００６６】
例えば、前記ジョブとは異なる処理は、画像処理装置１０の利用の準備として、特定の用紙を画像処理装置１０の給紙部にセットする処理、または、ＰＣ（Personal Computer）などの他装置を用いて実行される処理などである。
【００６７】
前記事務処理が主に画像処理装置１０を用いて行われる場合、前記事務処理の説明情報が、画像処理装置１０によって出力されると便利である。しかしながら、従来の装置は、自装置が実行可能な前記ジョブとは関係のない処理の説明情報を出力する機能を備えていない。
【００６８】
画像処理装置１０において、ＣＰＵ５１は、前記コンピュータープログラムを実行することにより、拡張説明情報設定部５ｅおよび説明出力制御部５ｆとしても動作する。拡張説明情報設定部５ｅおよび説明出力制御部５ｆは、予め設定されるジョブプログラムＤ１に従った画像処理の前記ジョブの説明情報と前記ジョブとは異なる処理の説明情報との両方を出力する機能を実現する。
【００６９】
［ジョブ説明データＤ２］
二次記憶装置５３は、予め複数のジョブ説明データＤ２を記憶している（図１参照）。図３に示されるように、ジョブ説明データＤ２各々は、ジョブ種類データＤ２１、出力タイミングデータＤ２２、ジョブ説明コンテンツＤ２３および出力先データＤ２４を含む。
【００７０】
ジョブ説明コンテンツＤ２３は、前記ジョブの説明を表すデータであり、テキストデータ、画像データおよび音響データのうちの１つまたは複数を含む。前記画像データは、静止画データまたは動画データである。ジョブ説明コンテンツＤ２３は、ジョブ説明情報の一例である。
【００７１】
ジョブ種類データＤ２１は、ジョブ説明コンテンツＤ２３の説明の対象となる前記ジョブの種類を表す。本実施形態では、ジョブ説明データＤ２のジョブ種類データＤ２１は、前記プリントジョブまたは前記画像読取ジョブを表す。
【００７２】
従って、ジョブ説明コンテンツＤ２３は、ジョブ説明データＤ２のジョブ種類データＤ２１とジョブプログラムＤ１のジョブ種類データＤ１３とにより、ジョブプログラムＤ１と対応付けられている。
【００７３】
さらに、ジョブ説明コンテンツＤ２３は、ジョブ説明データＤ２のジョブ種類データＤ２１とジョブプログラムＤ１のジョブパラメーターＤ１４における前記出力方法として設定される前記ジョブの種類とにより、前記出力方法と対応付けられている。
【００７４】
出力タイミングデータＤ２２は、対応する前記ジョブが実行されるときにジョブ説明コンテンツＤ２３を自動的に出力するタイミングを指定する情報である。具体的には、対応する前記ジョブの開始前、開始後、終了前および終了後のタイミングのいずれかを表すデータが、出力タイミングデータＤ２２として設定されている。
【００７５】
出力先データＤ２４は、ジョブ説明コンテンツＤ２３の出力先を指定する情報である。本実施形態において、出力先データＤ２４は、表示装置３ｂ、音響装置３ｃおよびホスト装置８のうちの１つまたは複数を指定するデータである。
【００７６】
ホスト装置８は、画像処理装置１０からジョブ説明コンテンツＤ２３を受信した場合に、受信したジョブ説明コンテンツＤ２３をホスト装置８の表示部または音響出力部を通じて出力する。
【００７７】
また、ホスト装置８を指定する出力先データＤ２４が設定される場合、ジョブ説明コンテンツＤ２３を出力する装置は、前記ユーザー認証処理により前記認証成功の結果が得られたユーザーに対応するホスト装置８である。
【００７８】
例えば、二次記憶装置５３が、登録認証データＤ０に対応付けられたホスト装置８の通信アドレスのデータを予め記憶している。ＣＰＵ５１は、前記ユーザー認証処理により前記認証成功の結果が得られた登録認証データＤ０に対応する前記通信アドレスを二次記憶装置５３から取得する。
【００７９】
ホスト装置８を指定する出力先データＤ２４が設定される場合、二次記憶装置５３から取得される前記通信アドレスが、ジョブ説明コンテンツＤ２３の送信の宛先である。
【００８０】
表示装置３ｂ、音響装置３ｃおよびホスト装置８は、それぞれ情報を出力する情報出力装置の一例である。
【００８１】
但し、ジョブ説明コンテンツＤ２３が音響データである場合、出力先データＤ２４は、表示装置３ｂ以外の出力先を表す。同様に、ジョブ説明コンテンツＤ２３が画像データである場合、出力先データＤ２４は、音響装置３ｃ以外の出力先を表す。
【００８２】
［拡張説明情報設定部５ｅ］
拡張説明情報設定部５ｅは、拡張説明情報設定処理を実行する。
【００８３】
前記拡張説明情報設定処理は、操作装置３ａに対する操作に従って、前記ジョブとは異なる事項の説明を表す拡張説明コンテンツＤ３３を含む拡張説明データＤ３を、ジョブプログラムＤ１に対応付けて設定する処理である。拡張説明情報設定部５ｅは、設定した拡張説明データＤ３を二次記憶装置５３に記憶させる。
【００８４】
拡張説明コンテンツＤ３３は、前記ジョブとは異なる事項の説明を表す拡張説明情報の一例である。拡張説明コンテンツＤ３３の説明の対象となる事項は、画像処理装置１０の利用の準備として、特定の用紙を画像処理装置１０の給紙部にセットする処理、ホスト装置８などの他装置を用いて実行される処理、またはその他の手作業の処理などである。
【００８５】
拡張説明コンテンツＤ３３は、ジョブ説明コンテンツＤ２３と同様に、テキストデータ、画像データおよび音響データのうちの１つまたは複数を含む。前記画像データは、静止画データまたは動画データである。
【００８６】
例えば、前記テキストデータは、操作装置３ａを通じて入力される。また、拡張説明情報設定部５ｅが、画像読取装置２により得られる前記読取画像のデータを、ジョブ説明コンテンツＤ２３として取得することも考えられる。
【００８７】
また、拡張説明情報設定部５ｅが、拡張説明コンテンツＤ３３をホスト装置８から通信装置４を通じて取得することも考えられる。
【００８８】
図４に示されるように、拡張説明情報設定部５ｅは、前記拡張説明情報設定処理において、プログラム番号Ｄ３１、出力タイミングデータＤ３２、拡張説明コンテンツＤ３３および出力先データＤ２４などを、拡張説明データＤ３として設定する。
【００８９】
プログラム番号Ｄ３１は、対応するジョブプログラムＤ１の識別情報である。拡張説明データＤ３とジョブプログラムＤ１とは、拡張説明データＤ３のプログラム番号Ｄ３１とジョブプログラムＤ１のプログラム番号Ｄ１１とによって対応付けられている。
【００９０】
出力タイミングデータＤ３２は、対応するジョブプログラムＤ１に従った前記ジョブが実行されるときの拡張説明コンテンツＤ３３の出力タイミングを特定するタイミング情報の一例である。
【００９１】
具体的には、対応するジョブプログラムＤ１においてジョブ種類データＤ１３として設定される前記ジョブ、または、ジョブパラメーターＤ１４の前記出力方法として設定される前記ジョブの開始前、開始後、終了前または終了後のタイミングを表すデータが、出力タイミングデータＤ３２として設定される。
【００９２】
出力先データＤ３４は、拡張説明コンテンツＤ３３の出力先を指定する情報である。本実施形態において、出力先データＤ３４は、表示装置３ｂ、音響装置３ｃおよびホスト装置８のうちの１つまたは複数を指定するデータである。
【００９３】
但し、拡張説明コンテンツＤ３３が音響データである場合、表示装置３ｂ以外の出力先を表すデータが、出力先データＤ３４として設定される。同様に、拡張説明コンテンツＤ３３が画像データである場合、音響装置３ｃ以外を表すデータが、出力先データＤ２４として設定される。
【００９４】
ホスト装置８は、画像処理装置１０から拡張説明コンテンツＤ３３を受信した場合に、受信した拡張説明コンテンツＤ３３をホスト装置８の表示部または音響出力部を通じて出力する。
【００９５】
なお、ホスト装置８を指定する出力先データＤ３４が設定される場合、前記認証成功の結果が得られた登録認証データＤ０に対応付けられたホスト装置８の前記通信アドレスが、拡張説明コンテンツＤ３３の送信の宛先である。
【００９６】
［説明出力処理］
次に、図５に示されるフローチャートを参照しつつ、説明出力制御部５ｆにより実行される説明出力処理の手順の一例について説明する。
【００９７】
前述したように、操作装置３ａに対する前記プログラム選択操作によってジョブプログラムＤ１が指定された上で、操作装置３ａに対する前記ジョブ開始操作が行われたときに、ジョブ制御部５ｂが、指定されるジョブプログラムＤ１に従った前記ジョブをプリント装置１または画像読取装置２などに実行させる。
【００９８】
そして、説明出力制御部５ｆは、前記プログラム選択操作によって指定されるジョブプログラムＤ１に従った前記ジョブが実行されるときに、前記説明出力処理を実行する。従って、前記説明出力処理が実行される過程において、ジョブプログラムＤ１に従った前記ジョブの開始前イベント、開始後イベント、終了前イベントおよび終了後イベントが順次発生する。
【００９９】
さらに、説明出力制御部５ｆは、操作装置３ａに対する前記プログラム選択操作によってジョブプログラムＤ１が指定された上で、操作装置３ａに対する説明シミュレーション開始操作が行われたときにも、前記説明出力処理を実行する。
【０１００】
また、前記説明シミュレーション開始操作が行われる場合、ジョブ制御部５ｂは、ジョブシミュレーション処理を実行する。
【０１０１】
前記ジョブシミュレーション処理は、前記ジョブのジョブプログラムＤ１に従った仮想の前記ジョブの実行に対応する仮想の前記開始イベントおよび前記終了イベントを発生させる処理である。前記ジョブシミュレーション処理において、ジョブ制御部５ｂは、前記ジョブをプリント装置１または画像読取装置２などに実行させることなく、仮想の前記開始イベントおよび前記終了イベントを発生させる。
【０１０２】
以下の説明において、Ｓ１，Ｓ２，…は、前記説明出力処理における複数の工程の識別符号を表す。
【０１０３】
＜工程Ｓ１，Ｓ２＞
前記説明出力処理において、まず、説明出力制御部５ｆは、指定されるジョブプログラムＤ１に対応するジョブ説明データＤ２および拡張説明データＤ３を二次記憶装置５３から取得する。その後、説明出力制御部５ｆは、処理を工程Ｓ３へ移行させる。
【０１０４】
具体的には、説明出力制御部５ｆは、指定されるジョブプログラムＤ１のジョブ種類データＤ１３と同じジョブ種類データＤ２１を有するジョブ説明データＤ２を取得する。さらに、説明出力制御部５ｆは、指定されるジョブプログラムＤ１のジョブパラメーターＤ１４における前記出力方法として設定される前記ジョブの種類と同じジョブ種類データＤ２１を有するジョブ説明データＤ２も取得する。
【０１０５】
さらに、説明出力制御部５ｆは、指定されるジョブプログラムＤ１のプログラム番号Ｄ１１と同じプログラム番号Ｄ３１を有する拡張説明データＤ３を取得する。
【０１０６】
＜工程Ｓ３＞
工程Ｓ３において、説明出力制御部５ｆは、前記開始タイミングおよび前記終了タイミングの発生状況を確認することにより、工程Ｓ１，Ｓ２で取得したジョブ説明データＤ２および拡張説明データＤ３について、出力タイミングデータＤ２２および出力タイミングデータＤ３２の各々が表すタイミングが到来したか否かを判定する。
【０１０７】
そして、説明出力制御部５ｆは、出力タイミングデータＤ２２または出力タイミングデータＤ３２が表すタイミングが到来したと判定する場合に、処理を工程Ｓ４へ移行させ、そうでない場合に、工程Ｓ３の処理を繰り返す。
【０１０８】
以下の説明において、工程Ｓ３において到来したと判定されるタイミングを表す出力タイミングデータＤ２２または出力タイミングデータＤ３２に対応するジョブ説明コンテンツＤ２３または拡張説明コンテンツＤ３３のことを、対象説明コンテンツと称する。
【０１０９】
＜工程Ｓ４＞
工程Ｓ４において、説明出力制御部５ｆは、前記対象説明コンテンツを、前記対象説明コンテンツに対応する出力先データＤ２４またはＤ３４が表す出力先の装置に出力させる。
【０１１０】
なお、前記対象説明コンテンツがテキストデータであり、対応する出力先データＤ２４またはＤ３４が音響装置３ｃを指定するデータであることが考えられる。この場合、音響装置３ｃは、前記テキストデータを音声信号に変換し、前記テキストデータを音声として出力する。
【０１１１】
図６は、前記画像読取ジョブの前記開始前イベントが発生したときに表示装置３ｂに出力された拡張説明コンテンツＤ３３およびジョブ説明コンテンツＤ２３を含む説明出力画面ｇ１の一例を示す。
【０１１２】
また、図７は、図６の状況に続いて前記画像読取ジョブの前記開始後イベントが発生したときに表示装置３ｂに出力されたジョブ説明コンテンツＤ２３を含む説明出力画面ｇ１の一例を示す。
【０１１３】
また、図８は、図７の状況の後に、前記画像読取ジョブにおける前記読取画像の出力処理としての前記ファイル送信ジョブおよび前記プリントジョブそれぞれの前記終了後イベントが発生したときに表示装置３ｂに出力されたジョブ説明コンテンツＤ２３および拡張説明コンテンツＤ３３を含む説明出力画面ｇ１の一例を示す。
【０１１４】
説明出力制御部５ｆは、前記対象説明コンテンツを出力する処理を実行した後、処理を工程Ｓ５へ移行させる。
【０１１５】
＜工程Ｓ５＞
工程Ｓ５において、説明出力制御部５ｆは、工程Ｓ１，Ｓ２で取得したジョブ説明データＤ２および拡張説明データＤ３の全ての説明コンテンツの出力が終了したか否かを判定する。前記説明コンテンツは、ジョブ説明コンテンツＤ２３および拡張説明コンテンツＤ３３の一方または両方である。
【０１１６】
説明出力制御部５ｆは、全ての前記説明コンテンツの出力が終了したと判定する場合に、前記説明出力処理を終了させ、そうでない場合に、工程Ｓ３からの処理を繰り返す。
【０１１７】
以上に示されるように、説明出力制御部５ｆは、操作装置３ａに対する操作によってジョブプログラムＤ１が指定される場合に、それぞれ前記ジョブの説明を表す予め定められた複数のジョブ説明データＤ２から、指定されるジョブプログラムＤ１に対応する１つ以上のジョブ説明コンテンツＤ２３を選択する（工程Ｓ１参照）。
【０１１８】
さらに、説明出力制御部５ｆは、選択したジョブ説明コンテンツＤ２３と、指定されるジョブプログラムＤ１に対応する拡張説明コンテンツＤ３３とを、表示装置３ｂ、音響装置３ｃおよびホスト装置８のうちの１つまたは複数に出力させる（工程Ｓ４参照）。
【０１１９】
即ち、画像処理装置１０は、予め設定されるジョブプログラムＤ１に従った画像処理の前記ジョブの説明情報であるジョブ説明コンテンツＤ２３と、前記ジョブとは異なる処理の説明情報である拡張説明コンテンツＤ３３との両方を出力できる。
【０１２０】
画像処理装置１０が採用されることにより、事務処理の一部が、画像処理装置１０にジョブプログラムＤ１に従った前記ジョブを実行させることである場合に、画像処理装置１０が前記事務処理全体の説明情報を提供することができる。これにより、前記事務処理を行う作業者は、説明情報を参照するために取扱説明の書類、あるいは、情報端末を取り扱う必要がない。
【０１２１】
また、説明出力制御部５ｆは、指定されるジョブプログラムＤ１に従った前記ジョブが実行されるときに、拡張説明データＤ３の出力タイミングデータＤ３２に従ったタイミングで拡張説明コンテンツＤ３３を自動的に表示装置３ｂまたはホスト装置８などに出力させる（工程Ｓ３，Ｓ４参照）。
【０１２２】
さらに、説明出力制御部５ｆは、指定されるジョブプログラムＤ１に従った前記ジョブが実行されるときに、前記ジョブの進行に応じて対応するジョブ説明コンテンツＤ２３を自動的に表示装置３ｂまたはホスト装置８などに出力させる（工程Ｓ３，Ｓ４参照）。
【０１２３】
従って、前記作業者は、ジョブプログラムＤ１に従って実行される前記ジョブにおける適切なタイミングで拡張説明コンテンツＤ３３を参照することができる。
【０１２４】
[第１応用例]
以下、画像処理装置１０の第１応用例について説明する。
【０１２５】
本応用例において、説明出力制御部５ｆは、指定されるジョブプログラムＤ１に従った前記ジョブが実行されるときに、操作装置３ａに対する説明呼び出し操作に応じて、実行中の前記ジョブに対応するジョブ説明コンテンツＤ２３および拡張説明コンテンツＤ３３の一方または両方を、出力先データＤ２４またはＤ３４が表す出力先の装置に出力させる。
【０１２６】
本応用例が採用される場合も、前記実施形態が採用される場合と同様の効果が得られる。
【０１２７】
[第２応用例]
以下、画像処理装置１０の第２応用例について説明する。
【０１２８】
本応用例において、前記ジョブシミュレーション処理が実行され、さらに、ジョブ説明コンテンツＤ２３を出力する処理が説明出力制御部５ｆによって実行されるときに、拡張説明情報設定部５ｅが、拡張説明データＤ３の出力タイミングデータＤ３２を設定する。
【０１２９】
具体的には、拡張説明情報設定部５ｅは、前記ジョブシミュレーション処理の進行に従ってジョブ説明コンテンツＤ２３が順次出力される状況下で、操作装置３ａに対して予め定められたタイミング指定操作が行われたときに、指定されているジョブプログラムＤ１に対応する１つ以上の拡張説明データＤ３を、操作装置３ａに対する選択操作に従って選択する。
【０１３０】
さらに、拡張説明情報設定部５ｅは、前記ジョブシミュレーション処理に対応するジョブプログラムＤ１における前記タイミング指定操作が行われたタイミングを、選択した拡張説明データＤ３の出力タイミングデータＤ３２として設定する。
【０１３１】
本応用例によれば、拡張説明データＤ３の出力タイミングデータＤ３２を感覚的に容易に設定することができる。
【０１３２】
[他の応用例]
登録認証データＤ０、ジョブプログラムＤ１、ジョブ説明データＤ２および拡張説明データＤ３のうちの１つまたは複数が、画像処理装置１０が通信可能な他の装置の記憶装置に記憶されてもよい。
【符号の説明】
【０１３３】
１      ：プリント装置
１ａ    ：シート搬送機構
１ｂ    ：感光体
１ｃ    ：帯電装置
１ｄ    ：レーザースキャニングユニット
１ｅ    ：現像装置
１ｆ    ：転写装置
１ｇ    ：定着装置
２      ：画像読取装置
２ａ    ：光源
２ｃ    ：イメージセンサー
３      ：ユーザーインターフェイス装置
３ａ    ：操作装置
３ｂ    ：表示装置（情報出力装置）
３ｃ    ：音響装置（情報出力装置）
４      ：通信装置
５      ：制御装置
５ａ    ：主制御部
５ｂ    ：ジョブ制御部
５ｃ    ：ユーザー認証部
５ｄ    ：プログラム設定部
５ｅ    ：拡張説明情報設定部
５ｆ    ：説明出力制御部
８      ：ホスト装置（情報出力装置）
１０    ：画像処理装置
５０    ：プリントエンジン
５１    ：ＣＰＵ
５２    ：ＲＡＭ
５３    ：二次記憶装置
８０    ：ネットワーク
９１    ：シート
９２    ：原稿
Ｄ０    ：登録認証データ
Ｄ１    ：ジョブプログラム
Ｄ１１  ：プログラム番号
Ｄ１２  ：ジョブプログラム名
Ｄ１３  ：ジョブ種類データ
Ｄ１４  ：ジョブパラメーター
Ｄ２    ：ジョブ説明データ
Ｄ２１  ：ジョブ種類データ
Ｄ２２  ：出力タイミングデータ
Ｄ２３  ：ジョブ説明コンテンツ（ジョブ説明情報）
Ｄ２４  ：出力先データ
Ｄ３    ：拡張説明データ
Ｄ３１  ：プログラム番号
Ｄ３２  ：出力タイミングデータ
Ｄ３３  ：拡張説明コンテンツ（拡張説明情報）
Ｄ３４  ：出力先データ
ｇ１    ：説明出力画面
【図１】
2020120361.tif 000003
【図２】
2020120361.tif 000004
【図３】
2020120361.tif 000005
【図４】
2020120361.tif 000006
【図５】
2020120361.tif 000007
【図６】
2020120361.tif 000008
【図７】
2020120361.tif 000009
【図８】
2020120361.tif 000010